(57)【要約】【課題】  アクセサリ装置内の素子の不具合が発生する可能性を低減すること。【解決手段】  本発明のアクセサリ装置２００、５００は、撮像装置１００に装着された状態で撮像装置１００から電力を受給する第１の電気接点２００２と、第１の電気接点２００２よりも所定方向Ａに配置され、撮像装置１００に装着された状態で、撮像装置１００の基準電位に接続された所定の電気接点に接続され、撮像装置１００からの取り外し中に基準電位に対して非接続となる第２の電気接点２００４と、第１の電気接点２００２と第２の電気接点２００４に接続された容量手段２０６を有する。さらに、アクセサリ装置２００、５００は、撮像装置１００からの取り外し中に、容量手段２０６に溜まった電荷を低減する低減手段２０９、２１０を有することを特徴とする。【選択図】  図５
2020013075.tif 000002
【特許請求の範囲】
【請求項１】
撮像装置に対して着脱可能であり、前記撮像装置に対して所定方向に移動することによって前記撮像装置から取り外されるアクセサリ装置であって、
前記撮像装置に装着された状態で前記撮像装置から電力を受給する第１の電気接点と、
前記第１の電気接点よりも前記所定方向側に配置され、前記撮像装置に装着された状態で、前記撮像装置の基準電位に接続された所定の電気接点に接続され、前記撮像装置からの取り外し中に基準電位に対して非接続となる第２の電気接点と、
一端が前記第１の電気接点に接続され、他端が前記第２の電気接点に接続された、容量手段と、
前記撮像装置からの取り外し中に、前記容量手段に溜まった電荷を低減させる低減手段とを有することを特徴とするアクセサリ装置。
【請求項２】
前記撮像装置からの取り外し中に前記第１の電気接点が前記所定の電気接点に接続されることに応じて、前記低減手段は前記容量手段に溜まった電荷を低減することを特徴とする請求項１に記載のアクセサリ装置。
【請求項３】
基準電位に接続された第３の電気接点を有し、
前記低減手段は、前記撮像装置からの取り外し中に、前記第２の電気接点と前記第３の電気接点とを電気的に接続することを特徴とする請求項１または２に記載のアクセサリ装置。
【請求項４】
前記低減手段は、前記第２の電気接点と前記第３の電気接点とをつなぐ回路上に配置された、ダイオードおよび抵抗の少なくとも一方を含むことを特徴とする請求項３に記載のアクセサリ装置。
【請求項５】
前記低減手段は、
前記第１の電気接点および前記第２の電気接点との間に印加された電圧を検出する検出手段と、
前記第２の電気接点と前記第３の電気接点との間の電気的な接続状態を切り替え可能なスイッチと、
前記検出手段の検出結果に応じて前記スイッチを制御する制御手段とを含むことを特徴とする請求項３に記載のアクセサリ装置。
【請求項６】
前記撮像装置に装着された状態で、前記撮像装置から電力を受給する第４の電気接点と、
一端が前記第３の電気接点に接続され、他端が前記第４の電気接点に接続された、第２の容量手段とを有することを特徴とする請求項３乃至５のいずれか１項に記載のアクセサリ装置。
【請求項７】
前記撮像装置に装着されている状態で、前記アクセサリ装置において、前記第１の電気接点と前記第２の電気接点とを含む回路と、前記第３電気接点と前記第４電気接点とを含む回路は電気的に分離されていることを特徴とする請求項３乃至６のいずれか１項に記載のアクセサリ装置。
【請求項８】
光学系と、
前記光学系の一部を駆動する駆動手段を有し、
前記第１の電気接点に供給される電力は前記駆動手段で消費され、
前記第４の電気接点に供給される電力は前記駆動手段よりも消費電力が少ない手段で消費されることを特徴とする請求項７に記載のアクセサリ装置。
【請求項９】
請求項１乃至８のいずれか１項に記載のアクセサリ装置と
前記アクセサリ装置が装着可能であり、前記第１の電気接点を介して前記アクセサリ装置に電力を供給する電源と、前記アクセサリ装置が装着された状態で前記第２の電気接点を基準電位に接続可能な電気接点とを含む撮像装置と、を有することを特徴とするカメラシステム。
【発明の詳細な説明】
【技術分野】
【０００１】
本発明は、アクセサリ装置およびカメラシステムに関する。
【背景技術】
【０００２】
撮像装置に対して交換レンズ等のアクセサリ装置が装着されているとき、当該アクセサリ装置は、撮像装置と電気的に接続された所定の電気接点を介して電力を受給したり撮像装置と通信を行ったりする。
【０００３】
しかし、撮像装置からアクセサリ装置の取り外しを急に行うと、電気接点の配置によってはアクセサリ装置中の電気素子に過剰な電圧が印加されることによって当該電気素子に破損等の不具合が生じる恐れがある。
【０００４】
特許文献１は、オプション装置の取り外しを予告する予告部が設けられたカメラに関する。オプション装置をカメラから取り外す前にユーザが当該予告部を操作すると、カメラが予告部からの予告を受けてオプション装置中の回路の残留電荷を放出させることを開示している。
【先行技術文献】
【特許文献】
【０００５】
【特許文献１】特開２００１−１４２５９０号公報
【発明の概要】
【発明が解決しようとする課題】
【０００６】
特許文献１の構成では、撮像装置が予告部を有することが前提となっている。したがって、オプション装置が予告部が設けられていない撮像装置に装着された場合は、撮像装置からの取り外しの際に、オプション装置内の素子に不具合が生じる可能性がある。
【０００７】
そこで、本発明は、アクセサリ装置内の素子の不具合が発生する可能性を低減することが可能なアクセサリ装置を提供することを目的とする。
【課題を解決するための手段】
【０００８】
本発明のアクセサリ装置は、撮像装置に対して着脱可能であり、前記撮像装置に対して所定方向に移動することによって前記撮像装置から取り外されるアクセサリ装置であって、前記撮像装置に装着された状態で前記撮像装置から電力を受給する第１の電気接点と、前記第１の電気接点よりも前記所定方向側に配置され、前記撮像装置に装着された状態で、前記撮像装置の基準電位に接続された所定の電気接点に接続され、前記撮像装置からの取り外し中に基準電位に対して非接続となる第２の電気接点と、一端が前記第１の電気接点に接続され、他端が前記第２の電気接点に接続された、容量手段と、前記撮像装置からの取り外し中に、前記容量手段に溜まった電荷を低減させる低減手段とを有することを特徴とする。
【発明の効果】
【０００９】
本発明のアクセサリ装置およびカメラシステムは、アクセサリ装置内の素子の不具合が発生する可能性を低減することができる。
【図面の簡単な説明】
【００１０】
【図１】撮像装置、レンズ装置、中間アクセサリの相互関係を説明する図である。
【図２】マウント部の構成を示す図である。
【図３】レンズ装置の端子とカメラの端子を説明する図である。
【図４】端子の配置を示す図である。
【図５】第１実施形態のレンズ装置の電気回路構成を示す図である。
【図６】第２実施形態のレンズ装置の電気回路構成を示す図である。
【図７】第２実施形態のレンズ制御部の処理を示すフローチャートである。
【図８】第３実施形態の中間アクセサリ装置の電気回路構成を示す図である。
【図９】比較形態を示す図である。
【発明を実施するための形態】
【００１１】
以下、本発明の実施形態にかかる画像処理装置について、添付の図面に基づいて詳細に説明する。なお、各図において同じ構成要素には同一の符号を付し、重複する説明は省略する。
【００１２】
本明細書において、アクセサリ装置とは、撮像装置に対して着脱可能な装置のことをいう。撮像装置とアクセサリ装置は、互いの有するマウント部を結合することにより装着される。アクセサリ装置は、撮影光学系を有するレンズ装置を含む。また、アクセサリ装置はレンズ装置と撮像装置本体の間に装着される中間アクセサリ装置を含む。
【００１３】
マウント部とは、撮像装置とアクセサリ装置のそれぞれに設けられる結合部である。撮像装置のマウント部およびアクセサリ装置のマウント部には、それぞれ電気接点が設けられ、撮像装置にアクセサリ装置が装着されると互いのマウント部に設けられた電気接点同士が接触する。すなわち、マウント部は撮像装置本体とアクセサリ装置を機械的に結合する機能だけでなく、撮像装置本体とアクセサリ装置を電気的に接続する機能も有する。
【００１４】
次に、本実施形態の撮像装置、レンズ装置、中間アクセサリ装置の相互関係について、図１を用いて説明する。図１は本実施形態の撮像装置としてのカメラ１００と、本実施形態のレンズ装置２００と、本実施形態の中間アクセサリ装置５００との相互関係を表している。図１中の矢印で示された装置同士は、互いのマウント部を結合して装着することができることを表している。レンズ装置２００は撮影光学系２８０を有する。カメラ１００はＣＭＯＳセンサやＣＣＤセンサ等の撮像素子を有する。カメラ１００にレンズ装置２００を装着することで被写体を撮影することができる。
【００１５】
レンズ装置２００と、中間アクセサリ装置５００は、カメラ１００に直接装着することができる。すなわち、レンズ装置２００のマウント部２５０と、中間アクセサリ装置５００のマウント部５５０ａは、カメラ１００のマウント部１５０に結合可能な形状を有する。
【００１６】
また、中間アクセサリ装置５００はカメラ１００に装着可能な第１のアクセサリマウント部としてのマウント部５５０ａの他に、カメラ１００のマウント部１５０と同様の形状の第２のアクセサリマウント部としてのマウント部５５０ｂを備えている。そのため、レンズ装置２００は中間アクセサリ装置５００にも装着することができる。換言すると、レンズ装置２００は中間アクセサリ装置５００を介してカメラ１００に装着することができる。なお、レンズ装置２００と中間アクセサリ装置５００の間に他の中間アクセサリ装置（不図示）を装着しても良い。この場合、レンズ装置２００とカメラ１００の間には２つ以上の中間アクセサリ装置が装着されることになる。
【００１７】
次に、図２を用いて、カメラ１００、レンズ装置２００、中間アクセサリ装置５００のそれぞれのマウント部について説明する。図２（ａ）は被写体側から見たカメラ１００のマウント部１５０の概略図であり、図２（ｂ）は像面側から見たレンズ装置２００のマウント部２５０の概略図である。
【００１８】
マウント部１５０は、カメラ１００の前側（被写体側）に設けられている。マウント部１５０は、所定のフランジバックを確保するためのリング状のマウント基準面１５１を備える。マウント基準面１５１の内側には周方向の３箇所にバヨネット爪１５２ａ乃至１５２ｃが設けられている。また、マウント部１５０には、アクセサリ装置のマウント部をマウント部１５０にバヨネット結合する際の位置決めのためのロックピン１５３が、マウント基準面１５１に対して突出および引込み可能に設けられている。装着が完了する位置までマウント部１５０とアクセサリ装置のマウント部が相対回転すると、アクセサリ装置のマウント部に設けられた嵌合穴とロックピン１５３が係合する。
【００１９】
また、バヨネット爪１５２ａ乃至１５２ｃよりも内側の領域には、カメラ側接点保持部１５４が設けられている。カメラ側接点保持部１５４は電気接点（カメラ側電気接点）１００１乃至１０１２を保持している。
【００２０】
中間アクセサリ装置５００のマウント部５５０ｂは図２（ａ）に示すマウント部１５０と同様の構成である。
【００２１】
マウント部２５０は、レンズ装置２００の後端部（像面側）に固定されている。マウント部２５０は、フランジバックの基準面であるリング状のマウント基準面２５１を備える。マウント基準面２５１の内側には周方向の３箇所にバヨネット爪２５２ａ乃至２５２ｃが設けられている。また、マウント部２５０には、嵌合穴２５３が設けられている。嵌合穴２５３は、カメラ１００にレンズ装置２００の装着が完了した際にロックピン１５３と係合する。
【００２２】
また、バヨネット爪２５２ａ乃至２５２ｃよりも内側の領域には、アクセサリ側接点保持部２５４が設けられている。アクセサリ側接点保持部２５４は電気接点（レンズ側電気接点）２００１乃至２０１２を保持している。
【００２３】
中間アクセサリ装置５００のマウント部５５０ａは図２（ｂ）に示すマウント部２５０と同様の構成である。すなわち、マウント部５５０ａは電気接点（アクセサリ側電気接点群）２００１乃至２０１２を保持するアクセサリ側接点保持部を有する。
【００２４】
次に、図３を用いて、カメラ１００にレンズ装置２００を装着した場合について説明する。図３は、カメラ１００にレンズ装置２００が接続された状態での回路構成を示すブロック図である。レンズ装置２００とカメラ１００は、マウント部１５０およびマウント部２５０に設けられた複数の電気接点のうちの一部が形成する通信路を介して通信可能となっている。レンズ装置２００とカメラ１００は後述する第１の通信、第２の通信、第３の通信を行うことができる。
【００２５】
カメラ制御手段としてのカメラ制御部１０１は、マウント部１５０に設けられた電気接点の出力を制御したり、電気接点に入力された信号を処理したりすることで、カメラ１００に装着されたアクセサリ装置と行われる通信を制御する。
【００２６】
カメラ電源部１０３は、カメラ１００の各部およびカメラ１００に装着されたアクセサリ装置の動作に用いられる電源である。カメラ電源部１０３は複数の異なる電圧を生成し、カメラ１００の各部またはカメラ１００に装着されたアクセサリ装置に各電圧の電源を供給する。
【００２７】
電源切り替え部１０４は、第１通信用Ｉ／Ｆ（インターフェース）部１０２ａへ電源を供給する。電源切り替え部１０４にはカメラ電源部１０３から電圧値の異なる２つの電源が供給されており、カメラ制御部１０１の制御の下で第１通信用Ｉ／Ｆ（インターフェース）部１０２ａへ供給する電源を切り替え可能である。
【００２８】
レンズ制御手段としてのレンズ制御部２０１は、マウント部２５０に設けられた電気接点の出力を制御したり、電気接点に入力された信号を処理したりすることで、カメラ１００とレンズ装置２００の間で行われる通信を制御する。
【００２９】
レンズ電源部２０３は、カメラ１００から供給された電源から所定の電圧の電源を生成し、レンズ制御部２０１およびレンズ側通信用Ｉ／Ｆ部２０２に供給する。
【００３０】
電気接点１００１および電気接点２００１は、主にカメラ１００とレンズ装置２００との間で行われる通信の制御に用いられる電力（通信電力）をカメラ電源部１０３からレンズ装置２００に供給するために用いられる端子である。以下、電気接点１００１および電気接点２００１をＶＤＤ端子１００１およびＶＤＤ端子２００１とも称する。本実施形態において、ＶＤＤ端子１００１によってレンズ装置２００に供給される電力の電圧（以下、ＶＤＤ電圧と称する）は５．０Ｖである。
【００３１】
電気接点１００２および電気接点２００２は主にモータ等の駆動系の動作に用いられる電力（駆動電力）をカメラ１００からレンズ装置２００に供給するために用いられる端子である。以下、電気接点１００２および電気接点２００２をＶＢＡＴ端子１００２およびＶＢＡＴ端子２００２とも称する。本実施形態において、ＶＢＡＴ端子１００２によってレンズ装置２００に供給される電力の電圧（以下、ＶＢＡＴ電圧と称する）は４．５Ｖである。また、ＶＤＤ端子とＶＢＡＴ端子を総称して電源系端子とも称する。
【００３２】
電気接点１０１２および電気接点２０１２は、カメラ１００とレンズ装置２００の通信制御系回路をグラウンドに接続する端子である。つまり、ＶＤＤ端子に対応した接地端子である。以下、電気接点１０１２および電気接点２０１２をＤＧＮＤ端子１０１２およびＤＧＮＤ端子２０１２とも称する。
【００３３】
電気接点１００４および電気接点２００４は、カメラ１００とレンズ装置２００に設けられたモータ等を含む駆動系回路をグラウンドに接続するための端子である。つまり、ＶＢＡＴ端子に対応した接地端子である。以下、電気接点１００４および電気接点２００４をＰＧＮＤ端子１００４およびＰＧＮＤ端子２００４とも称する。また、ＤＧＮＤ端子とＰＧＮＤ端子を総称してグラウンド端子とも称する。
【００３４】
電気接点１００５および電気接点２００５は、カメラ１００にレンズ装置２００が装着されたことを検出するための端子である。カメラ制御部１０１は、電気接点１００５の電圧レベルに応じてカメラ１００に対するレンズ装置２００の着脱を検出する。カメラ制御部１０１がレンズ装置の装着を検出すると、ＶＤＤ端子１００１およびＶＢＡＴ端子１００２を介してレンズ装置への電源供給を開始する。以下、電気接点１００５および電気接点２００５をＭＩＦ端子１００５およびＭＩＦ端子２００５とも称する。
【００３５】
電気接点１００３および電気接点２００３は、カメラ１００に装着されたアクセサリ装置の種類を判別するための端子である。以下、電気接点１００３および電気接点２００３をＴＹＰＥ端子１００３およびＴＹＰＥ端子２００３とも称する。
【００３６】
電気接点１００６乃至１００８および電気接点２００６乃至２００８は、第１の通信に用いられる端子である。第１の通信は、カメラ１００とレンズ装置２００との間で行われる通信である。
【００３７】
電気接点１００９および電気接点２００９は第２の通信に用いられる。第２の通信は、レンズ装置２００からカメラ１００に対してデータ送信をするための通信である。
【００３８】
電気接点１０１０、１０１１および電気接点２０１０、２０１１は、第３の通信に用いられる端子である。第３の通信は、カメラ１００とレンズ装置２００との間で行われる通信、中間アクセサリ装置５００が接続されている場合は、カメラ１００、レンズ装置２００、中間アクセサリ装置５００との間で相互に行われる通信である。
【００３９】
次に、図４（ａ）、（ｂ）を用いて、マウント部１５０およびマウント部２５０のカメラ側接点保持部１５４およびアクセサリ側接点保持部２５４の形状について述べる。
【００４０】
図４（ａ）は、カメラ１００にレンズ装置２００が装着された状態でのカメラ側接点保持部１５４およびアクセサリ側接点保持部２５４を光軸と垂直な方向から見た場合の概略図である。図４（ｂ）は、カメラ１００からレンズ装置２００が取り外される途中の状態を光軸と垂直な方向から見た図である。また、図４（ａ）、（ｂ）において、カメラ１００の電気接点をピン、レンズ装置２００の電気接点を接片としているが、カメラ１００の電気接点を接片としても良いし、レンズ装置２００の電気接点をピンとしても良い。
【００４１】
図４（ａ）に示す矢印Ａは、カメラ１００からレンズ装置２００を取り外す際の、カメラ１００に対するレンズ装置２００の移動方向（所定方向）を示している。当該移動方向は直線的な方向ではなく、回転方向である。レンズ装置２００を取り外す際、例えばＶＤＤ端子２００１はＶＢＡＴ端子１００２に接触した後にＴＹＰＥ端子１００３に接触する。
【００４２】
また、図４に示すように、カメラ側接点保持部１５４およびアクセサリ側接点保持部２５４は光軸方向に段差のある形状となっている。電気接点１００１乃至１００４と電気接点１００５乃至１０１２は異なる段に設けられている。同様に、電気接点２００１乃至２００４と電気接点２００５乃至２０１２は異なる段に設けられている。これにより、カメラ１００にレンズ装置２００を着脱する際に、電気接点２００１乃至２００４と電気接点１００５乃至１０１２とを接触させないようにすることができる。したがって、カメラ１００にレンズ装置２００を着脱する際の電気接点の摩耗量を低減させることができる。
【００４３】
さらに、本実施形態のカメラ１００では、電気接点数が少ない方の段に電源系端子を設けている。同様に、本実施形態のレンズ装置２００では、電気接点数が少ない方の段に電源系端子を設けている。これによって、カメラ１００にレンズ装置２００を着脱する際の電源系端子の摩耗量をより低減させ、接触インピーダンスの上昇を抑えることができる。結果として、長期間にわたって安定した電源供給を行うことができる。
【００４４】
なお、安定した電源供給のためには、グラウンド端子も電気接点数が少ない方の段に設けることが好ましい。
【００４５】
一方、内部回路に対する静電気の影響を低減するために、ＤＧＮＤ端子１０１２およびＤＧＮＤ端子２０１２はマウント部１５０およびマウント部２５０の金属部分に接触されている。マウント部１５０の加工を容易にするために、ＤＧＮＤ端子１０１２を電気接点１００１乃至１０１２の配列において端に配置することが好ましい。同様に、マウント部２５０の加工を容易にするために、ＤＧＮＤ端子２０１２を電気接点２００１乃至２０１２の配列において端に配置することが好ましい。
【００４６】
これらに鑑みて、ＰＧＮＤ端子１００４は保持している電気接点数が少ない方の段に設け、ＤＧＮＤ端子１０１２は電気接点１００１乃至１０１２の配列における端に設けている。同様に、ＰＧＮＤ端子２００４を保持している電気接点数が少ない方の段に設け、ＤＧＮＤ端子２０１２を電気接点２００１乃至２０１２の配列における端に設けている。
【００４７】
次に、カメラ側接点保持部１５４およびアクセサリ側接点保持部２５４における電気接点の並び順について説明する。
【００４８】
本実施形態において、カメラ側接点保持部１５４の電気接点数が少ない方の段には、矢印Ａと逆方向に順に、ＰＧＮＤ端子１００４、ＴＹＰＥ端子１００３、ＶＢＡＴ端子１００２、ＶＤＤ端子１００１が配置されている。同様に、アクセサリ側接点保持部２５４の電気接点数が少ない方の段には、レンズ装置２００の装着方向に順に、ＰＧＮＤ端子２００４、ＴＹＰＥ端子２００３、ＶＢＡＴ端子２００２、ＶＤＤ端子２００１が配置されている。
【００４９】
導電性の異物がカメラ側接点保持部１５４およびアクセサリ側接点保持部２５４の間に挟まったり、電気接点が変形したりすると、隣接した電気接点同士がショートしてしまう場合がある。特に、電源系端子（ＶＤＤ端子、ＶＢＡＴ端子）とグラウンド端子（ＰＧＮＤ端子）がショートした場合、電源回路に大電流が流れ得る。これに対して、電源系端子とグラウンド端子の間に他の電気接点を設けることで、ショートによる電源回路への影響を低減できる。
【００５０】
なお、電源系端子とグラウンド端子の間に設ける端子はカメラ１００およびレンズ装置２００の動作中に信号レベルが略一定である端子であることが好ましい。通常、電源系端子に隣接する端子とカメラ制御部１０１の間には、ショートした際にカメラ１００の内部回路を保護するための保護素子が設けられる。仮に電源系端子とグラウンド端子の間にカメラ１００およびレンズ装置２００の動作中に信号レベルが変化する端子を設ける場合、該端子の配線容量は保護素子によって増加してしまう。そのため、該端子を介して送信または受信される信号波形に影響を及ぼし得る。一方、カメラ１００およびレンズ装置２００の動作中に信号レベルが略一定である端子であれば、保護素子を設けることによる影響が少ない。動作中の信号レベルが略一定である端子としてはＴＹＰＥ端子とＭＩＦ端子があるが、ＭＩＦ端子は後述のように電気接点数が多い方の段の端に設けることが好ましいため、電源系端子とグラウンド端子の間にはＴＹＰＥ端子を設けることが好ましい。なお、本実施形態では、ＴＹＰＥ端子１００３とカメラ制御部１０１の間には、保護素子としての抵抗１２６が設けられている。
【００５１】
以上、各実施形態に共通のカメラ１００およびカメラ１００に装着可能なアクセサリ装置の構成について説明した。
【００５２】
次に、本発明の実施形態と比較形態について説明する。
【００５３】
以下の説明において、「カメラ１００に装着された状態」は、図４（ａ）に示すように、カメラ１００とアクセサリ装置（レンズ装置２００または中間アクセサリ装置５００）の対応する全ての電気接点同士が接触して、電気的に接続された状態をいう。「カメラ１００からの取り外し中」は、アクセサリ装置がカメラ１００に装着された状態から、ＶＤＤ端子２００１がＤＧＮＤ端子１０１２よりも図４（ａ）の矢印Ａ側（所定方向側）に位置する状態になるまでのうちの、少なくとも一部の期間のことをいう。
【００５４】
［比較形態］
まず、図９を用いて、第１実施形態および第２実施形態にかかるレンズ装置２００の比較形態であるレンズ装置２００’の回路構成について説明する。なお、図９は、図２や図４（ａ）のように、レンズ装置２００’がカメラ１００に直接接続されたときの様子を示している。
【００５５】
図９において、後述の第１実施形態および第２実施形態に関する構成要素を追加して図示している。また、説明の簡略化のため、図２に示された構成のうち一部の電気接点の図示を省略している。レンズ装置２００’およびカメラ１００における各電気接点の並びは前述のとおりであるが、図９では回路構成を見やすくするために一部の電気接点の並びを変更して図示している。
【００５６】
ＶＢＡＴ端子（第１の電気接点）２００２は、カメラ１００に装着された状態で、カメラ電源部１０３からＶＢＡＴ端子１００２を介して電力を受給する電気接点である。ここで受給する電力は、ドライバ２０８を介して負荷２０５に供給され、負荷２０５で消費される。負荷２０５は、例えば、レンズ装置２００’の撮影光学系２８０に含まれる絞り羽根やフォーカスレンズ等の駆動対象物を駆動させるための各種アクチュエータ（駆動手段）である。
【００５７】
ＶＤＤ端子（第４の電気接点）２００１は、カメラ１００に装着された状態で、カメラ電源部１０３からＶＤＤ端子１００１を介して電力を受給する電気接点である。ここで受給する電力は、負荷２０５よりも消費電力が少ない手段で消費される。例えば、レンズ制御部２０１において消費される制御系用の電力であり、レンズ制御部２０１がカメラ１００との通信制御や各種演算を行う際に消費される。
【００５８】
ＰＧＮＤ端子（第２の電気接点）２００４は、カメラ１００に装着された状態で、基準電位に接続されたＰＧＮＤ端子（所定の電気接点）１００４に接続される。これにより、ＶＢＡＴ端子２００２とＰＧＮＤ端子２００４との間には４．５Ｖの電位差が生じる。
【００５９】
ＤＧＮＤ端子（第３の電気接点）２０１２は、カメラ１００に装着された状態で、ＤＧＮＤ端子１０１２を介して基準電位に接続される。これにより、ＶＤＤ端子２００１とＤＧＮＤ端子２０１２との間には５．０Ｖの電位差が生じる。
【００６０】
レンズ装置２００’はコンデンサ（容量手段）２０６とコンデンサ（第２の容量手段）２０７を有する。コンデンサ２０６の一端はＶＢＡＴ端子２００２に接続され、他端はＰＧＮＤ端子２００４に接続されている。コンデンサ２０６により、ＶＢＡＴ端子２００２を介して供給された電力を安定化させている。レンズ装置２００’がカメラ１００に装着され、ＶＢＡＴ端子２００２に電力が供給されている間に、コンデンサ２０６に電荷が溜まる。コンデンサ２０７の一端はＶＤＤ端子２００１に接続され、他端はＤＧＮＤ端子２０１２に接続されている。コンデンサ２０７により、ＶＤＤ端子２００１を介して供給された電力を安定化させている。レンズ装置２００’がカメラ１００に装着され、ＶＢＡＴ端子２００２に電力が供給されている間に、コンデンサ２０７に電荷が溜まる。
【００６１】
ここで、コンデンサ２０６の容量は、コンデンサ２０７の容量よりも大きく構成されていることが好ましい。一つ目の理由は、制御系用の電力消費量よりも、駆動系用の電力消費量のほうが大きいからである。二つ目の理由は、一般に、ＶＢＡＴ端子２００２とＰＧＮＤ端子２００４を含む駆動系用の電力回路には、アクチュエータの駆動時に生じる逆起電圧の影響を受けてノイズが生じやすいからである。駆動系用の電力回路の容量成分を大きくすることにより、周波数とノイズの関係を示す特性が変化し、広い周波数帯域でノイズを低減しやすくなる。さらに、回路に供給される電力をより安定化させるために、駆動系用の電力回路に不図示のフィルタを挿入してもよい。例えば、π型フィルタを挿入することにより、駆動系用の電力回路における容量成分を増大し、ノイズを低減することができる。
【００６２】
レンズ装置２００’がカメラ１００に装着されている状態で、レンズ装置２００’の内部において、駆動系用の電力回路と制御系用の電力回路とは電気的に分離されている。すなわち、駆動系用の電力回路を流れる電流が、制御系用の電力回路に流れないようにしている。これにより、ＶＤＤ端子２００１およびＤＧＮＤ端子２０１２を含む制御系用の電力回路に、ＶＢＡＴ端子２００２とＰＧＮＤ端子２００４を含む駆動系用の電力回路で生じたノイズが重畳されないようにしている。
【００６３】
レンズ装置２００’のカメラからの取り外し中に生じる電位の変化について前述の図４（ｂ）を用いて説明する。
【００６４】
レンズ装置２００’のカメラ１００からの取り外し中に、図４（ｂ）に示す状態になる瞬間がある。図４（ｂ）に示すように、ＶＢＡＴ端子２００２とＰＧＮＤ端子１００４が接触し、ＰＧＮＤ端子２００４はカメラ１００のいずれの電気接点とも非接触状態となる。すなわち、カメラ１００からの取り外し中に、ＰＧＮＤ端子２００４は基準電位に対して非接続となる。
【００６５】
この時、ＶＢＡＴ端子２００２はＰＧＮＤ端子１００４を介してカメラ１００の基準電位に接続されるため、ＶＢＡＴ端子２００２の電位は０Ｖとなる。一方、コンデンサ２０６には電荷が溜まっているため、ＶＢＡＴ端子２００２とＰＧＮＤ端子２００４の間にはマイナスの電圧が印加される。このように、ＶＢＡＴ端子２００２とＰＧＮＤ端子２００４の間にマイナスの電圧が印加されてしまい、かつその状態が長時間継続されると、ＰＧＮＤ端子２００４と接続されているレンズ装置２００’の内部の電気素子に破損等の不具合が生じる恐れがある。
【００６６】
［第１実施形態］
次に、第１実施形態のレンズ装置２００について図５を用いて説明する。図５は、レンズ装置２００の電気回路構成を示す図である。図５において、レンズ装置２００は、レンズ装置２００’と同様の、レンズ制御部２０１、レンズ電源部２０３、ＶＤＤ端子２００１、ＶＢＡＴ端子２００２、ＰＧＮＤ端子２００４、ＤＧＮＤ端子２０１２、コンデンサ２０６、コンデンサ２０７を含む。さらに、レンズ装置２００’と同様の、ドライバ２０８、負荷２０５を含む。レンズ制御部２０１およびＶＤＤ端子２００１は図５では図示を省略している。さらに、レンズ装置２００のカメラ１００からの取り外し中に、コンデンサ２０６に溜まった電荷を低減する低減手段を有する。本実施形態において低減手段は、ＤＧＮＤ端子２０１２とＰＧＮＤ端子２００４とをつなぐ回路上に配置された、小抵抗２０９およびダイオード２１０である。
【００６７】
図５は、図４（ｂ）と同様に、ＶＢＡＴ端子２００２とＰＧＮＤ端子１００４が接触している瞬間を示している。
【００６８】
ＤＧＮＤ端子２０１２はマウント部２５０の金属部分に接触しており、マウント部２５０はマウント部１５０の金属部分に接触されている。ここで、マウント部１５０はカメラ１００の内部において基準電位に接続されているため、レンズ装置２００のカメラ１００からの取り外し中において、マウント部２５０およびＤＧＮＤ端子２０１２の電位は基準電位となる。マウント部２５０およびマウント部１５０が基準電位であることを示すために、図５においてこれらを模式的に図示している。
【００６９】
ダイオード２１０において電流の流れる方向は、ＤＧＮＤ端子２０１２からコンデンサ２０６に向かう方向である。したがって、カメラ１００からの取り外し中にＶＢＡＴ端子２００２とＰＧＮＤ端子１００４が接触して、ＰＧＮＤ端子２００４の電位が基準電位であるＤＧＮＤ端子２０１２よりも低くなると、ダイオード２１０および小抵抗２０９に電流が流れる。当該流れた電流によりコンデンサ２０６に溜まった電荷を中和することができる。
【００７０】
すなわち、ＶＢＡＴ端子２００２がＰＧＮＤ端子１００４に接続されることに応じて、小抵抗２０９およびダイオード２１０は、基準電位とＰＧＮＤ端子２００４と電気的に接続する。これにより、図５の状態となった瞬間はＶＢＡＴ端子２００２とＰＧＮＤ端子２００４の間にマイナスの電圧が印加されることになるが、小抵抗２０９およびダイオード２１０を流れた電流によりコンデンサ２０６に溜まった電荷を次第に低減することができる。すなわち、コンデンサ２０６の少なくとも一部の電荷が放電することができる。
【００７１】
このように、第１実施形態のレンズ装置２００は、ＶＢＡＴ端子２００２とＰＧＮＤ端子２００４の間に印加されたマイナスの電圧の絶対値を低減し、かつ、マイナスの電圧が印加される期間を短縮することができる。よってレンズ装置２００において、電気素子が破損する可能性を低減することができる。
【００７２】
なお、本実施形態において、コンデンサ２０６に溜まった電荷を低減する低減手段として、小抵抗２０９およびダイオード２１０を用いた場合について説明したが、低減手段は、小抵抗２０９およびダイオード２１０のいずれか一方でもよい。いずれか一方の場合は、ダイオード２１０が使用されていることが好ましい。ダイオード２１０は、小抵抗２０９に比べて電荷の流れが速いため、ＶＢＡＴ端子２００２とＰＧＮＤ端子２００４の間に印加されたマイナスの電圧を、小抵抗２０９を使用した場合に比べて早く低減することができる。
【００７３】
［第２実施形態］
図６は、第２実施形態のレンズ装置２００の電気回路構成を示す図である。第２実施形態におけるレンズ装置２００は、第１実施形態のレンズ装置２００とは、主に低減手段の構成が異なる。第２実施形態のレンズ装置２００において、低減手段は、レンズ制御部２０１とスイッチ２１４である。
【００７４】
さらに、レンズ電源部２０３の出力側にコンデンサ２１１が接続されている。カメラ１００からの取り外し中において、ＶＤＤ端子２００１とＶＤＤ端子１００１との電気的な接続が解除され、レンズ制御部２０１に対してＶＤＤ端子２００１から電力が供給されない状態となる。そこで、カメラ１００にレンズ装置２００が装着されている間にコンデンサ２１１が充電され、レンズ装置２００がカメラ１００から取り外される際にコンデンサ２１１が放電することで、取り外し途中も短時間であればレンズ制御部２０１を動作可能としている。
【００７５】
レンズ制御部２０１はＡ／Ｄコンバータ２０１ａを含む。ＶＢＡＴ端子２００２に印加された電圧を、抵抗２１２と抵抗２１３で分圧して、レンズ制御部２０１のＡ／Ｄコンバータ２０１ａに入力する構成としている。例えば、抵抗２１２の抵抗値と抵抗２１３の抵抗値をそれぞれ１０ｋΩとすると、ＶＢＡＴ端子２００２に印加された４．５Ｖの電圧は２．２５Ｖに分圧される。これにより、３．０Ｖで駆動するレンズ制御部２０１に対して、４．５Ｖの電圧が印加されるＶＢＡＴ端子２００２からの電圧が印加されてレンズ制御部２０１が破壊されることを防いでいる。
【００７６】
第２実施形態のレンズ装置２００のその他の構成は、第１実施形態のレンズ装置２００と同様であるため、共通の部材の詳細な説明は省略する。
【００７７】
本実施形態において、レンズ制御部２０１は、ＶＢＡＴ端子２００２およびＰＧＮＤ端子２００４の間に印加された電圧を検出する検出手段としての機能と、その検出結果に応じてスイッチ２１４を制御する制御手段としての機能を有する。
【００７８】
まず、検出手段としての機能について説明する。レンズ制御部２０１は、Ａ／Ｄコンバータ２０１ａに印加された電圧を検出する。カメラ１００とレンズ装置２００が装着されている場合、カメラ１００の内部でＤＧＮＤ端子１０１２とＰＧＮＤ端子１００４は接続されている。そのため、レンズ制御部２０１は、ＤＧＮＤ端子２０１２を基準としてＡ／Ｄコンバータ２０１ａに印加された電圧を検出することが可能である。そして、レンズ制御部２０１は、Ａ／Ｄコンバータ２０１ａに印加された電圧を検出し、予めメモリ（不図示）に記憶された抵抗２１２と抵抗２１３の分圧比を用いて、ＶＢＡＴ端子２００２およびＰＧＮＤ端子２００４の間に印加されている電圧を検出する。上記例では、Ａ／Ｄコンバータ２０１ａに印加された電圧は２．２５Ｖであり、ＶＢＡＴ端子２００２およびＰＧＮＤ端子２００４の間に印加された電圧は４．５Ｖとなる。
【００７９】
次に、制御手段としての機能について説明する。レンズ制御部２０１は、ＶＢＡＴ端子２００２およびＰＧＮＤ端子２００４の間に印加されている電圧の検出結果に応じて、ＶＢＡＴ端子２００２とＤＧＮＤ端子２０１２との電気的な接続状態を切り替え可能なスイッチ２１４を制御する。レンズ制御部２０１は、通常時は、スイッチ２１４を開けて、マウント部２５０と、ＤＧＮＤ端子２０１２とＰＧＮＤ端子２００４の間を接続する回路とを切り離しておく。ＶＢＡＴ端子２００２とＰＧＮＤ端子１００４が接続されることにより、ＶＢＡＴ端子２００２およびＰＧＮＤ端子２００４の間に異常な電圧が印加されたことを検出した場合は、スイッチ２１４を閉じて回路をショートさせる。スイッチ２１４をショートさせることで、コンデンサ２０６に溜まった電荷を低減することができる。
【００８０】
なお、スイッチ２１４はアナログスイッチＩＣ等の端子間のオープンとショートを切り替えられるようなものであれば、どのような種類の素子でも構わない。
【００８１】
図７は、レンズ制御部２０１の処理内容を示すフローチャートである。レンズ制御部２０１はレンズ装置２００の内部のメモリ（不図示）に記憶されたプログラムにしたがって、図７に示す処理を実行する。
【００８２】
Ｓ１０１において、レンズ制御部２０１は、ＶＢＡＴ端子２００２とＰＧＮＤ端子２００４の間に印加された電圧が正常であるかどうか（定格の範囲内であるかどうか）を判断する。レンズ制御部２０１が、Ｓ１０１において正常だと判断した場合は、Ｓ１０１の工程を繰り返す。
【００８３】
Ｓ１０１において正常ではないと判断した場合、すなわち、ＶＢＡＴ端子２００２とＰＧＮＤ端子２００４の間に所定値を超えるような異常な電圧が印加されたと判断した場合はＳ１０２に進む。Ｓ１０２において、レンズ制御部２０１は、ＤＧＮＤ端子２０１２とＰＧＮＤ端子２００４の間に設けられたスイッチ２１４をショートさせる。これにより、コンデンサ２０６にチャージされていた電荷が次第にディスチャージされる。よって、ＶＢＡＴ端子２００２とＰＧＮＤ端子２００４の間にマイナスの電圧が長時間印加されないようにすることができる。
【００８４】
Ｓ１０２の後、Ｓ１０３において、レンズ制御部２０１は、再びＶＢＡＴ端子２００２とＰＧＮＤ端子２００４の間における電圧が正常であるかどうかを判断する。正常でないと判断した場合は、レンズ制御部２０１はＳ１０３の工程を繰り返す。
【００８５】
Ｓ１０３においてレンズ制御部２０１が、ＶＢＡＴ端子２００２における電圧が正常であると判断した場合、Ｓ１０４において、レンズ制御部２０１は、スイッチ２１４を元に戻してオープン状態とする。
【００８６】
Ｓ１０４のあとは、レンズ制御部２０１は、コンデンサ２１１を介してレンズ制御部２０１に供給される電力が切れるまで、Ｓ１０１〜Ｓ１０４の工程を繰り返す。
【００８７】
このように、第２実施形態では、低減手段であるレンズ制御部２０１とスイッチ２１４を用いて、コンデンサ２０６に溜まった電荷を次第に低減することができる。
【００８８】
このように、第２実施形態のレンズ装置２００は、ＶＢＡＴ端子２００２とＰＧＮＤ端子２００４の間に印加されるマイナスの電圧の絶対値を低減し、ＶＢＡＴ端子２００２とＰＧＮＤ端子２００４の間にマイナスの電圧が印加される時間を短縮することができる。これにより、レンズ装置２００内部において電気素子の不具合が生じる可能性を低減できる。
【００８９】
なお、レンズ制御部２０１は、直接的または間接的にＶＢＡＴ端子２００２とＰＧＮＤ端子２００４の間の電圧が正常か否かという判断をすればよく、必ずしもＶＢＡＴ端子２００２とＰＧＮＤ端子２００４の間の電圧を算出しなくてもよい。レンズ制御部２０１は、ＶＢＡＴ端子２００２とＰＧＮＤ端子２００４の間の電圧と相関関係にある指標に基づいてスイッチ２１４を制御すればよく、例えばＡ／Ｄコンバータ２０１ａの電圧値が正常か否かという判断に基づいて、スイッチ２１４を制御してもよい。
【００９０】
［第３実施形態］
本発明は、アクセサリ装置である、レンズ装置２００とカメラ１００との間に配置される中間アクセサリ装置に適用されうる。
【００９１】
図８は、第３実施形態のアクセサリ装置としての中間アクセサリ装置５００の電気回路構成を示す図である。中間アクセサリ装置５００は、焦点距離を調整するためのコンバータであったり、カメラ１００と直接通信が行えない種類のレンズ装置とカメラ１００との通信を可能にするための変換アダプタであったりする。
【００９２】
図８において、マウント部３５０、ＶＢＡＴ端子３００２、ＰＧＮＤ端子３００４、ＤＧＮＤ端子３０１２は、レンズ装置２００’の、マウント部、ＶＢＡＴ端子２００２、ＰＧＮＤ端子２００４、ＤＧＮＤ端子２０１２とそれぞれ同様である。さらに、レンズ装置３００における、コンデンサ３０６、ドライバ３０８、負荷３０５は、レンズ装置２００’の、コンデンサ２０６、コンデンサ２０７、ドライバ２０８、負荷２０５とそれぞれ同様である。各電気接点の配列は、対応するレンズ装置２００’の電気接点の配列と同じである。
【００９３】
中間アクセサリ装置５００は、マウント部５５０ａに、ＤＧＮＤ端子１０１２に接続可能なＤＧＮＤ端子５０１２ａ、ＶＢＡＴ端子１００２と接続可能なＶＢＡＴ端子５００２ａ、ＰＧＮＤ端子１００４と接続可能なＰＧＮＤ端子５００４ａを有する。不図示であるが、ＶＤＤ端子１００１と接続可能なＶＤＤ端子も有する。マウント部５５０ｂに、ＤＧＮＤ端子３０１２に接続可能なＤＧＮＤ端子５０１２ｂ、ＶＢＡＴ端子３００２と接続可能なＶＢＡＴ端子５００２ｂ、ＰＧＮＤ端子３００４と接続可能なＰＧＮＤ端子５００４ｂを有する。不図示であるが、レンズ装置３００のＶＤＤ端子と接続可能なＶＤＤ端子を有する。
【００９４】
中間アクセサリ装置５００は、ＶＢＡＴ端子５００２ａを介してカメラ１００から電力を受給し、ＶＢＡＴ端子５００２ｂおよびＶＢＡＴ端子３００２を介してレンズ装置３００に電力を供給する。さらに中間アクセサリ装置５００は、中間アクセサリ装置５００のマウント部５５０ａ側のＶＤＤ端子を介してカメラ１００から電力を受給する。そして、中間アクセサリ装置５００のマウント部５５０ｂ側のＶＤＤ端子およびレンズ装置３００のＶＤＤ端子を介してレンズ装置３００に電力を供給する。
【００９５】
中間アクセサリ装置５００は、ＶＢＡＴ端子５００２ａとＰＧＮＤ端子５００４ａに対して電気的に接続されたコンデンサ５０６を有する。中間アクセサリ装置５００のマウント部５５０ａ側のＶＤＤ端子とＤＧＮＤ端子５０１２ａに対して電気的に接続されたコンデンサ（不図示）を有する。
【００９６】
さらに、中間アクセサリ装置５００のカメラ１００からの取り外し中に、コンデンサ５０６に溜まった電荷を低減する低減手段を有する。本実施形態において低減手段は、ＤＧＮＤ端子５０１２ａとＰＧＮＤ端子５００４ａとをつなぐ回路上に配置された、小抵抗５０９およびダイオード５１０である。
【００９７】
図８は、中間アクセサリ装置５００がレンズ装置３００には装着された状態で、カメラ１００からの取り外される途中の様子を図示している。カメラ１００からの取り外し中に、ＶＢＡＴ端子５００２ａとＰＧＮＤ端子１００４が接続されると、小抵抗５０９およびダイオード５１０は、第１実施形態の小抵抗２０９およびダイオード２１０と同様に機能する。すなわち、小抵抗５０９およびダイオード５１０により、ＤＧＮＤ端子５０１２ａとＰＧＮＤ端子５００４ａが電気的に接続され、コンデンサ５０６に溜まった電荷を次第に低減することができる。
【００９８】
このように、第３実施形態の中間アクセサリ装置５００は、ＶＢＡＴ端子２００２とＰＧＮＤ端子５００４ａの間に印加されるマイナスの電圧の絶対値を低減し、かつ、マイナスの電圧が印加される期間を短縮することができる。これにより、中間アクセサリ装置５００において電気素子の不具合が生じる可能性を低減できる。
【００９９】
なお、本実施形態における低減手段も、小抵抗５０９およびダイオード５１０のいずれかであってもよい。また、レンズ装置３００の構成が、第１実施形態および第２実施形態のレンズ装置２００と同様であっても良い。
【０１００】
本発明の実施形態にかかるカメラシステムは、前述の各実施形態にかかるアクセサリ装置と、撮像装置とを有する。当該撮像装置は、アクセサリ装置のＶＢＡＴ端子（２００２、５００２ａ）に電力を供給する電源と、アクセサリ装置が装着された状態でＰＧＮＤ端子を基準電位に接続可能なＰＧＮＤ端子（電気接点）１００４とを含む。
【０１０１】
以上、本発明の好ましい実施形態について説明したが、本発明はこれらの実施形態に限定されず、その要旨の範囲内で種々の変形及び変更が可能である。例えば、本明細書において使用した数値は一例であり、他の値であっても構わない。本発明のアクセサリ装置が、第２実施形態のレンズ装置２００の構成を中間アクセサリ装置に適用した構成であってもよい。
【符号の説明】
【０１０２】
１００  カメラ（撮像装置）
２０６  コンデンサ（容量手段）
２００、３００  レンズ装置（アクセサリ装置）
２０９  小抵抗（低減手段）
２１０  ダイオード（低減手段）
２０１  レンズ制御部（低減手段）
２１０ａ  Ａ／Ｄコンバータ
２１４  スイッチ（低減手段）
５００  中間アクセサリ装置（アクセサリ装置）
５０６  コンデンサ（低減手段）
２００２  ＶＢＡＴ端子（第１の電気接点）
２００４  ＰＧＮＤ端子（第２の電気接点）
Ａ  矢印（所定方向）
【図１】
2020013075.tif 000003
【図２】
2020013075.tif 000004
【図３】
2020013075.tif 000005
【図４】
2020013075.tif 000006
【図５】
2020013075.tif 000007
【図６】
2020013075.tif 000008
【図７】
2020013075.tif 000009
【図８】
2020013075.tif 000010
【図９】
2020013075.tif 000011